(57)【要約】【課題】着信メロディー等をステレオとして再生可能な複数のスピーカを備え、通常のステレオ再生以外の音響効果も実現可能な構成を提供する。【解決手段】表示面を有する上ケース１側に前面スピーカ６を内装し、上カバー２側に背面スピーカ７を内装する。前面スピーカ６と背面スピーカ７は、互いのスピーカの背面同士が同軸上に重ならない位置にずらして実装されている。着信音、音声、および音楽に関連する第１の音源情報と第２の音源情報によって前面スピーカ６と背面スピーカ７をそれぞれ独立に駆動する第１の再生手段と第２の再生手段を備えている。携帯電話機が折り畳まれているときには、第２の再生手段のみを動作させて背面スピーカのみを駆動し、消費電力の節減を図る。【選択図】　　　　図２
2004096573.tif 000002
【特許請求の範囲】
【請求項１】
表示部を有する第１の筐体と操作部を有する第２の筐体とが折り畳み可能に構成された携帯電話機において、前記第１の筐体の前面と背面に、着信音、音声、および音楽を再生するためのスピーカを少なくとも１個ずつ、それぞれの面に向けて且つ互いのスピーカの背面が重ならない位置に内装したことを特徴とする折り畳み式携帯電話機。
【請求項２】
前記前面に内装されたスピーカ（前面スピーカ）および前記背面に内装されたスピーカ（背面スピーカ）は、前記第１の筐体の横幅方向において、前記前面スピーカは一方の端部に配置された１個のスピーカ、前記背面スピーカは他方の端部に配置された１個のスピーカによって構成されていることを特徴とする請求項１に記載の折り畳み式携帯電話機。
【請求項３】
前記前面スピーカおよび前記背面スピーカは、前記第１の筐体の横幅方向において、前記前面スピーカは中央部に配置された１個のスピーカ、前記背面スピーカは両端部に配置された２個のスピーカによって構成されていることを特徴とする請求項１に記載の折り畳み式携帯電話機。
【請求項４】
前記着信音、音声、および音楽に関連する第１の音源情報と第２の音源情報を記憶するメモリと、該メモリから読み出された前記第１および第２の音源情報によって前記前面スピーカおよび前記背面スピーカを駆動する第１及び第２の再生手段と、該第１及び第２の再生手段の動作を制御する再生制御手段を備えていることを特徴とする請求項１〜３のいずれかに記載の折り畳み式携帯電話機。
【請求項５】
前記第１の音源情報は音声または歌声であり、前記第２の音源情報は伴奏音楽であることを特徴とする請求項４に記載の折り畳み式携帯電話機。
【請求項６】
前記第１の音源情報は楽曲の主旋律であり、前記第２の音源情報は前記楽曲の副旋律であることを特徴とする請求項４に記載の折り畳み式携帯電話機。
【請求項７】
前記折り畳み式携帯電話機が開かれた状態かまたは閉じられた（折り畳まれた）状態かを検出して前記再生制御手段に通知する開閉検出手段を備えており、前記再生制御手段は、前記開閉検出手段が前記開かれた状態を検出しているときには、前記第１の再生手段により前記第１の音源情報を、前記第２の再生手段により前記第２の音源情報をそれぞれ再生し、前記開閉検出手段が前記閉じられた状態を検出しているときには、前記第２の再生手段のみを動作させ、該第２の再生手段により前記第１及び第２の音源情報の合成されたデータを再生するように制御することを特徴とする請求項４に記載の折り畳み式携帯電話機。
【請求項８】
前記再生手段は、前記第１及び第２の再生手段に入力される前記第１及び第２の音源情報の位相を調整する手段を有していることを特徴とする請求項４〜７のいずれかに記載の折り畳み式携帯電話機。
【発明の詳細な説明】
【０００１】
【発明の属する技術分野】
本発明は、折り畳み式の携帯電話機に関し、特に複数のスピーカを備えることにより、ステレオ効果等種々の音響効果を実現可能な折り畳み式携帯電話機に関する。
【０００２】
【従来の技術】
近年、携帯電話機は着信音としてメロディー等が用いられるように、広帯域の音が出せるスピーカが採用されている。また、メモリ容量の増大等により、音楽及び音声の記憶ができるようになり、多機能化の動きとして音楽配信等による音楽を携帯電話機で聞く時代が近づきつつある。さらに、ステレオ対応での音楽・音声出力の要求も強くなってきており、また、カメラ搭載型携帯電話機による動画撮影時の音声再生にもスピーカが使用されるように、オーディオ用としてのスピーカを備える携帯電話機への需要が増えつつある。
【０００３】
従来、ステレオ音を再生可能な携帯電話機として、折り畳み可能に構成された携帯電話機の第１及び第２の筐体に対して、それぞれの筐体の端部背面側に第１及び第２のスピーカを実装し、音声再生時には、携帯電話機を開いた状態で横にし、この一対のスピーカが互いに離れた位置で略同一方向を向くような位置関係とすることにより、ステレオ音の再生を行うものがある（例えば、特許文献１参照）。
【０００４】
また、第１及び第２の筐体が折り畳み可能に構成された携帯電話機において、一方の筐体の背面側に、その幅方向の両端部に第１及び第２のスピーカを実装し、この一対のスピーカにより、ステレオ音の再生を行うものがある（例えば、非特許文献１参照）。
【０００５】
【特許文献１】
特開２００２−５７７６８号公報
【非特許文献１】
Ｊ−Ｋ５１のＵＲＬ
ｈｔｔｐ：／／ｗｗｗ．ｊ−ｐｈｏｎｅ．ｃｏｍ／ｍｏｖｉｅ−ｓｈａｍａｉｌ／ｋｅｎｗｏｏｄ．ｈｔｍｌ。
【０００６】
【発明が解決しようとする課題】
上記従来技術においては、第１及び第２のスピーカはいずれも筐体の背面側に実装されており、この折り畳み式携帯電話機が閉じられた（折り畳まれた）状態であるか開いた状態であるかに関係なく、着信があった場合にはこれらの第１及び第２スピーカを同時に駆動することによりステレオ音響効果を付加して着信メロディーを再生可能にしているが、この従来技術では、通常のステレオ以外の効果、例えば歌声と伴奏音楽とが分けられているソースを再生するような場合、歌声をより明瞭化し、伴奏音楽はバックグラウンド的に出力させるような特殊な音響効果を得るような操作は困難である。
【０００７】
また、ステレオ再生では、これら２つのスピーカを駆動するための２つの電力増幅器をそれぞれ動作させる必要があり、例えば１つのスピーカを駆動する場合と比較してその電力消費量が増大する。その結果、携帯電話機の１回の充電により使用可能な時間が減ってしてしまうという問題がある。
【０００８】
一方、一般に折り畳み式携帯電話機が折り畳まれた状態のときには、該携帯電話機は鞄あるいはポケットの中に収納された状態の場合が多く、従って、折り畳み式携帯電話機が折り畳まれた状態のときに例えば着信音がステレオで再生されても余り意味がない。
【０００９】
本発明の目的は、着信メロディー等をステレオとして再生可能な少なくとも２つ以上のスピーカを備えた折り畳み式携帯電話機において、通常のステレオ再生以外の音響効果も実現可能にする構成を提供することにある。
【００１０】
本発明の他の目的は、着信メロディーをステレオとして再生可能な少なくとも２つ以上のスピーカを備えた折り畳み式携帯電話機において、特に携帯電話機が折り畳まれた状態のときの着信メロディー再生による消費電力を低減可能にする手段を提供することにある。
【００１１】
【課題を解決するための手段】
本発明は、表示部を有する第１の筐体と操作部を有する第２の筐体が折り畳み可能に構成された携帯電話機において、前記表示部を有する第１の筐体の正面（前面）と背面に、着信音、音声、および音楽を再生するためのスピーカを少なくとも１個ずつ、それぞれの面に向けて且つ互いの背面が重ならない位置に実装したことを特徴とする。
【００１２】
また、本発明の折り畳み式携帯電話機は、前記着信音、音声、および音楽に関連する第１の音源情報と第２の音源情報を記憶するメモリと、該メモリから読み出された前記第１および第２の音源情報によって前記前面スピーカおよび前記背面スピーカを駆動する第１及び第２の再生手段と、該第１及び第２の再生手段の動作を制御する再生制御手段を備えていることを特徴とする。
【００１３】
前記第１の音源情報は例えば、音声または歌声、あるいは楽曲の主旋律であり、前記第２の音源情報は例えば、伴奏音楽、あるいは前記楽曲の副旋律である。
【００１４】
また、本発明の折り畳み式携帯電話機は、前記折り畳み式携帯電話機が開かれた状態かまたは閉じられた（折り畳まれた）状態かを検出して前記再生制御手段に通知する開閉検出手段を備えており、前記再生制御手段は、前記開閉検出手段が前記開かれた状態を検出しているときには、前記第１の再生手段により前記第１の音源情報を、前記第２の再生手段により前記第２の音源情報をそれぞれ再生し、前記開閉検出手段が前記閉じられた状態を検出しているときには、前記第２の再生手段のみを動作させ、該第２の再生手段により前記第１及び第２の音源情報の合成されたデータを再生するように制御することを特徴とする。
【００１５】
【発明の実施の形態】
図１は、本発明の第１の実施形態を示す折り畳み式携帯電話機の開いた状態における側面図であり、上ケース、上カバー側のみ側面分解図として示している。また、図２は、本実施形態の折り畳み式携帯電話機の開いた状態における正面図と背面図であり、上ケース、上カバー側のみ一部点線による透視図として示している。
【００１６】
図１〜２において、１は上ケース、２は上カバー、３は下ケース、４は下カバーである。上ケース１はと上カバー２により第１の筐体を形成し、下ケース３と下カバー４により第２の筐体を形成している。５は上ケース１側に実装された装置基板であり、図では省略されているがこの装置基板５は、ヒンジ１３内に配置されたフレキシブル基板等を介し、下ケース３側に実装されている装置基板とコネクタ等により接続されている。
【００１７】
６は装置基板５上の上ケース１側に設置されているかまたは上ケース１に直接設置されている前面スピーカ、７は装置基板５上の上カバー２側に設置されているかまたは上カバー２に直接設置されている背面スピーカである。前面スピーカ６と背面スピーカ７は、図２に示されているように、互いのスピーカの背面同士が同軸上に重ならない位置にずらして実装されている。
【００１８】
８は装置基板５上の上ケース１側に設置されているかまたは上ケース１に直接設置されている受話用のスピーカ、９は装置基板５上に設置してある液晶ディスプレイ等の表示部、１０は上カバー２に設置してあるアンテナ、１１は下ケース３に組み込まれてこの携帯電話機の各種操作を行うためのキーボードを有する操作部である。１ａは上ケース１に設けてある前面スピーカ６用音孔、１ｂは上ケース１に設けてある受話用スピーカ８の音孔、２ａは上カバー２に設けてある背面スピーカ７用音孔、３ａは下ケース３に設けてある送話（マイク）用音孔である。
【００１９】
図３は、本実施形態の折り畳み式携帯電話機の全体回路構成を示すブロック図である。
【００２０】
図３において、ＣＰＵ２１は携帯電話機全体の制御を行う演算処理装置であり、通話・通信に関連する種々の演算処理に関係する処理・指示を行う。また、サウンド出力として例えば歌（音声）と伴奏（音楽）、あるいは主旋律と副旋律のある着信メロディーが設定されている場合、着信音などのダウンロードした音楽データ（歌入りの音楽を含む）に対して、例えばそれを、声（音声）と音楽、あるいは主旋律と副旋律といった２つのデータに分けてメモリに記憶し、あるいは読み出し処理の指示を行う。
【００２１】
表示部９は前記ＣＰＵ２１に接続されており、機能設定時の選択画面、機能の設定状況などを表示する。操作部１１は前記ＣＰＵ２１に接続されており、発呼、通話開始・終了、メニュー選択時のキー入力等に使用者が操作するものである。
【００２２】
無線部２２はＣＰＵ２１と接続されており、図では省略されている基地局との通信を行う。アンテナ１０は前記の無線部２２に接続されている。ＤＳＰ（ｄｉｇｉｔａｌ　ｓｉｇｎａｌ　ｐｒｏｃｅｓｓｏｒ）２３はＣＰＵ２１と無線部２２に接続されており、受信信号処理及び基地局等との無線回路接続、通話チャネル切替、受送話部での音声信号処理、着信音等のメロディーデータの信号処理等を行う。
【００２３】
メモリ２４はＣＰＵ２１とＤＳＰ２３に接続されており、ＣＰＵ２１での演算した結果等のデータや種々の機能設定状態をデータに変換して格納する。また、例えば、あらかじめ歌（声）入りの音楽が入っているメロディーデータが、伴奏（音楽）部分と歌（音声）部分のデータを分けて格納されている。
【００２４】
開閉検出回路部２５はＣＰＵ２１に接続されており、折り畳み式携帯電話機の開閉状態を検出し、ＣＰＵ２１に開閉の状態を通知する。Ａ／Ｄ・Ｄ／Ａコンバータ２６はＤＳＰ２４に接続されており、ＤＳＰ２４から出力された音声・音楽のデジタル信号をアナログ信号に変換する。また、逆にマイク１２で集音したアナログ信号をデジタル信号に変換してＤＳＰへ出力する。
【００２５】
スピーカ出力切替制御部２７は、ＣＰＵ２１とＡ／Ｄ・Ｄ／Ａコンバータ２６に接続されており、Ａ／Ｄ・Ｄ／Ａコンバータ２６からの出力信号を背面スピーカ７にのみ供給するように制御するか、または前面スピーカ６と背面スピーカ７に供給するかを、ＣＰＵ２１からの設定指示に従って切替制御する。
【００２６】
具体的には、スピーカ出力切替制御部２７は、この携帯電話機が折り畳まれているときには、背面スピーカ７のみで鳴動するようにＡ／Ｄコンバータ２６で変換されたアナログ信号を背面スピーカ用アンプ２９にのみ送出し、この携帯電話機が開かれているときには、前面スピーカ６と背面スピーカ７を共に鳴動するようにＡ／Ｄコンバータ２６で変換されたアナログ信号を前面スピーカ用アンプ２８と背面スピーカ用アンプ２９に送出する。
【００２７】
ＤＳＰ２３、Ａ／Ｄコンバータ２６、スピーカ出力切替制御部２７および前面スピーカ用アンプ２８によって、前面スピーカ６を駆動する第１の再生手段が構成され、ＤＳＰ２３、Ａ／Ｄコンバータ２６、スピーカ出力切替制御部２７および背面スピーカ用アンプ２９によって、背面スピーカ７を駆動する第２の再生手段が構成される。また、ＣＰＵ２１は、これら第１及び第２の再生手段を制御する再生制御手段としても機能する。
【００２８】
レシーバ用アンプ３０は受話用のスピーカ８に接続されておりＡ／Ｄコンバータ２６でアナログ信号に変換された受話音声信号の増幅に使用される。マイク用アンプ３１はマイク１２に接続されており、送話音声信号を増幅してＡ／Ｄコンバータ２６へ送出する。
【００２９】
次に、本実施形態の折り畳み式携帯電話機の動作について、図１〜３を参照して説明する。
【００３０】
待ち受け状態にある携帯電話機において、着呼時着信音が鳴動する際または着信音選択等で着信音を鳴動させるときに携帯電話機が開かれた状態にある場合には、前面スピーカ６と背面スピーカ７がステレオで鳴動する。一方、携帯電話機が閉じられた（折り畳まれた）状態にまたは鳴動させたまま閉じた（折り畳んだ）ときは上ケース１側に設置してある前面スピーカ６は鳴動せず、上カバー２に設置してある背面スピーカ７のみがモノラルで鳴動する。
【００３１】
また、サウンド出力として例えば歌（音声）と伴奏（音楽）、あるいは主旋律と副旋律のある着信メロディーが設定されている場合、携帯電話機が開いている状態にあるときには、歌（音声）のみを前面スピーカ６側より出力し、伴奏（音楽）を背面スピーカ７側より出力させる、あるいは主旋律を前面スピーカ６側より出力し、副旋律を背面スピーカ７側より出力させることにより、音響効果を高める。一方、携帯電話機を閉じたときまたは閉じられているときには、背面スピーカ７のみから歌（音声）と伴奏（音楽）、あるいは主旋律と副旋律の合成されたデータをモノラル音として出力する。
【００３２】
以下、着信音として、あらかじめ歌（声）入りの音楽が入っているメロディーを選択してあるものとし、伴奏（音楽）部分と歌（音声）部分が分かれているデータと音楽と歌が共通となっているデータをメモリ２４で格納しているものとして説明する。
【００３３】
携帯電話が待ち受け状態にある場合、開閉検出回路部２５は携帯電話機が開いている状態か閉じている（折り畳まれている）状態かを検出しており、検出結果はＣＰＵ２１に出力される。ＣＰＵ２１は開閉検出回路部２５の出力により携帯電話機が何れの状態となっているかを認識し、認識結果をメモリ２４に保持させる。
【００３４】
着呼時ＣＰＵ２１はこの折り畳み式携帯電話機の状態が、閉じているか開いているかメモリ２４の保持状態で確認を行い、開いている場合にはＣＰＵ２１はスピーカ出力切替制御部２７に対して前面スピーカ６と背面スピーカ７を共に鳴動するように指示を出し、メモリ２４に格納されている音楽データと歌（音声）データをＤＳＰ２３に送る。ＤＳＰ２３はこれらのデータを処理してデジタル信号としてＤ／Ａコンバータ２６へ送出する。
【００３５】
Ｄ／Ａコンバータ２６に送られた信号はアナログ信号に変換され、スピーカ出力切替制御部２７を経由し、歌（音声）データは前面スピーカ用アンプ２８で増幅されて前面スピーカ６に供給され、メロディー等の音楽データは背面スピーカ用アンプ２９で増幅されて背面スピーカ７に供給される。従って、前面スピーカ６からは歌（音声）が出力され、背面スピーカ７からはメロディー等の音楽が出力される。
【００３６】
その際、背面スピーカ７によって駆動される音波を前面側から受けると位相が反転された状態となるので、ＤＳＰ２３では、メモリ２４から読み出した音楽データと歌（音声）データに対して、これら２つのデータの信号が携帯電話機の前面側に同相で出力されるように位相調整を行ってＤ／Ａコンバータ２６へ送出する。
【００３７】
一方、携帯電話機が閉じられている場合には、ＣＰＵ２１はスピーカ出力切替制御部２７に対して背面スピーカ７のみを鳴動するように指示を出し、メモリ２４に格納されている音楽と歌が共通となっているデータをＤＳＰ２３に送りデジタル信号としてＤ／Ａコンバータ２６へ送出する。Ｄ／Ａコンバータ２６に送られた信号はアナログ信号に変換され、スピーカ出力切替制御部２７を経由し、背面スピーカ用アンプ２９で増幅され、背面側に設置してあるスピーカ７より出力される。
【００３８】
着信音選択等で着信音を鳴動させるときも同様で携帯電話機の開閉状態に応じて、開閉検出回路部２５が即座にＣＰＵ２１に状態を送り、ＣＰＵ２１の指示により、鳴動を制御する。
【００３９】
なお、実施例では、メモリ２４に音楽と歌が共通となっているデータが格納されているものとして説明したが、折り畳み式携帯電話機が閉じているとき、メモリ２４から読み出した伴奏（音楽）部分と歌（音声）部分が分かれているデータを、ＤＳＰ２３で合成して背面スピーカ用アンプ２９側へ出力することも可能である。
【００４０】
本実施形態では、折り畳み式携帯電話機が閉じているとき（折り畳まれているとき）には前面スピーカ６は駆動しないで背面スピーカ７のみを鳴動させるので、その分消費電流を節減することができ、複数のスピーカを実装して各種音響効果を実現可能な携帯電話機において１回の充電当たりの使用時間を従来よりも延ばすことが可能になる。
【００４１】
図４は、本発明の第２の実施形態を示す折り畳み式携帯電話機の開いた状態における正面図と背面図である。
【００４２】
本実施形態では、前面スピーカ６と背面スピーカ７の実装位置を携帯電話機の横幅方向（Ｘ軸上）で可能な限り距離を離すとともにスピーカ用音孔１ａ、２ａ間の距離も同様に離した位置に設けることによりステレオ音響効果を高める構成となっている。さらに、各スピーカに入力される信号の位相調整を行うことでステレオ音響効果を一層向上させることができる。
【００４３】
図５は、本発明の第３の実施形態を示す折り畳み式携帯電話機の開いた状態における正面図と背面図である。
【００４４】
本実施形態では、前面スピーカ６は携帯電話機の横幅方向（Ｘ軸上）の中央部に配置され、２つの背面スピーカ７、７’が携帯電話機の横幅方向の両端部に配置されており、これら３つのスピーカによりサラウンドも再生可能な構成となっている。この場合、前面側のスピーカ６を低域重視のスピーカに変更することでよりリアルな音声の再現が可能になる。
【００４５】
【発明の効果】
本発明の折り畳み式携帯電話機では、少なくとも１個のスピーカを前面側に配置し、少なくとも１個のスピーカを背面側に配置するとともに、これらのスピーカの背面が互いに重ならないように実装されているので、例えば前面から音声を出力し、背面からメロディーを流すことで特色ある着信音を提供することができ、特に、コンサートの動画等が配信された場合、前面から歌声を出し、背面から音楽を出すことで迫力のある映像と音楽を楽しむことが可能になる。また、サラウンド効果も比較的容易に実現することができる。
【００４６】
さらに、本発明の折り畳み式携帯電話機が閉じられた（折り畳まれた）状態のときには、前面側に配置されたスピーカは動作させないで、背面側に配置されたスピーカのみを駆動するように構成されているので、消費電力の節減を図ることが可能である。
【図面の簡単な説明】
【図１】本発明の第１の実施形態を示す折り畳み式携帯電話機の開いた状態における側面図である。
【図２】本実施形態の折り畳み式携帯電話機の開いた状態における正面図と背面図である。
【図３】本実施形態の折り畳み式携帯電話機の回路構成を示すブロック図である。
【図４】本発明の第２の実施形態を示す折り畳み式携帯電話機の開いた状態における正面図と背面図である。
【図５】本発明の第３の実施形態を示す折り畳み式携帯電話機の開いた状態における正面図と背面図である。
【符号の説明】
１　上ケース
１ａ　前面スピーカ用音孔
２　上カバー
２ａ　背面スピーカ用音孔
３　下ケース
３ａ　送話（マイク）用音孔
４　下カバー
５　装置基板
６　前面スピーカ
７　背面スピーカ
８　受話用スピーカ
９　表示部
１０　アンテナ
１１　操作部
１２　マイク
１３　ヒンジ
２１　ＣＰＵ（ｃｅｎｔｒａｌ　ｐｒｏｃｅｓｓｉｎｇ　ｕｎｉｔ）
２２　無線部
２３　ＤＳＰ（ｄｉｇｉｔａｌ　ｓｉｇｎａｌ　ｐｒｏｃｅｓｓｏｒ）
２４　メモリ
２５　開閉検出回路
２６　Ａ／Ｄ・Ｄ／Ａコンバータ
２７　スピーカ出力切替制御部
２８　前面スピーカ用アンプ
２９　背面スピーカ用アンプ
３０　レシーバ用アンプ
３１　マイク用アンプ
【図１】
2004096573.tif 000003
【図２】
2004096573.tif 000004
【図３】
2004096573.tif 000005
【図４】
2004096573.tif 000006
【図５】
2004096573.tif 000007